(57)【要約】【課題】天板付き什器の保管スペースを抑える。【解決手段】天板付き什器システムは、互いに離間して床面上に設置される複数の支持体２０Ａ，３０Ａと、複数の支持体２０Ａ，３０Ａに着脱可能に支持された天板４０と、を有した天板付き什器を複数備える。そして、天板付き什器の不使用時に、複数の天板付き什器のそれぞれにおいて天板４０から取り外した複数の支持体２０Ａ，３０Ａを一組にまとめて隣接配置するとともに、それぞれまとめて隣接配置した複数組の支持体２０Ａ，３０Ａを水平方向に集合配置した状態で保管可能とされている。【選択図】図９
2016083290.tif 000002
【特許請求の範囲】
【請求項１】
互いに離間して床面上に設置される複数の支持体と、複数の前記支持体に着脱可能に支持された天板と、を有した天板付き什器を複数備えた天板付き什器システムであって、
前記天板付き什器の不使用時に、複数の前記天板付き什器のそれぞれにおいて前記天板から取り外した複数の前記支持体を２つ以上の前記支持体からなる組にまとめて隣接配置するとともに、それぞれまとめて隣接配置した複数組の前記支持体を水平方向に集合配置した状態で保管可能とされていることを特徴とする天板付き什器システム。
【請求項２】
前記天板は、鉛直面内に位置するよう立てた状態で、前記支持体の側面に係止可能とされていることを特徴とする請求項１に記載の天板付き什器システム。
【請求項３】
複数の前記天板付き什器を構成する複数組の前記支持体を互いに近接させた状態で、
複数組の前記支持体上に、複数組の前記天板を重畳させて保管可能とされていることを特徴とする請求項１に記載の天板付き什器システム。
【請求項４】
複数の前記支持体のうち少なくとも一つの前記支持体は、物品を収容可能な収容部を有したキャビネットユニットであり、
他の前記支持体は、前記天板を支持し平面視Ｌ字状または平面視Ｔ字状に形成された支持脚であるとともに、不使用時に前記キャビネットユニットの少なくとも二つの側面に沿うよう近接配置されることを特徴とする請求項１から３のいずれか一項に記載の天板付き什器システム。
【請求項５】
前記天板は、互いに隣接する二つの作業領域を有し、
前記キャビネットユニットは、二つの前記作業領域のそれぞれの下方に設置され、
前記支持体は、二つの前記作業領域の双方を跨ぐよう、前記天板の下方に配置されていることを特徴とする請求項４に記載の天板付き什器システム。
【請求項６】
前記天板は、互いに隣接する二つの作業領域を有し、
前記支持体は、一方の前記作業領域の下方に設置され、物品を収容可能な収容部を有したキャビネットユニットと、前記キャビネットユニットから他方の前記作業領域の下方に向けて延び、前記天板を支持する支持脚部とが一体に形成され、
それぞれの前記作業領域の下方で、一方の前記支持体の前記キャビネットユニットと、他方の前記支持体の前記支持脚部とが、水平方向に間隔をあけて配置されていることを特徴とする請求項１から３のいずれか一項に記載の天板付き什器システム。
【請求項７】
前記キャビネットユニットの上面に、前記キャビネットユニット上に支持される前記天板の不陸調整を行う不陸調整部が設けられていることを特徴とする請求項４〜６のいずれか一項に記載の天板付き什器システム。
【請求項８】
複数の前記支持体が、平面視したときに互いに同じ形状を有し、不使用時に水平方向に重畳可能であることを特徴とする請求項１から３のいずれか一項に記載の天板付き什器システム。
【発明の詳細な説明】
【技術分野】
【０００１】
本発明は、オフィスや店舗、公共施設等の室内空間に設置された天板付き什器システムに関する。
【背景技術】
【０００２】
オフィスや店舗、公共施設等の室内空間においては、デスクやテーブル、カウンター等の天板付き什器が設置されている。
一般に、天板付き什器は、平板状の天板と、天板を安定的に支持する複数の支持体と、を備えている。これら天板と複数の支持体は、強固に一体化されている。
【０００３】
特許文献１には、支持体として、平面視Ｌ字状の脚体と袖キャビネットとを有し、これら脚体および袖キャビネット上に天板を設けた構成の机が開示されている。この構成で脚体および袖キャビネットと天板とは、ボルト、ナット等により強固に一体化されている。
【先行技術文献】
【特許文献】
【０００４】
【特許文献１】特許第２８２２３１０号公報
【発明の概要】
【発明が解決しようとする課題】
【０００５】
ところで、天板付き什器を配置した室内空間においては、天板付き什器のレイアウトを変更したい場合がある。そのような場合に、天板付き什器の位置を単に移動するだけではなく、使用しない天板付き什器を撤去する場合もある。
撤去した天板付き什器を保管するには、少なくとも各天板付き什器の天板の大きさに応じた床面積が必要である。複数の天板付き什器を保管する場合には、天板どうしを突き合わせて保管に必要なスペースをなるべく小さくしようとしても、多大なスペースが必要であることに変わりはない。
そこでなされた本発明の目的は、天板付き什器の保管スペースを抑えることのできる天板付き什器システムを提供することである。
【課題を解決するための手段】
【０００６】
本発明は、上記課題を解決するため、以下の手段を採用する。
この発明に係る天板付き什器システムは、互いに離間して床面上に設置される複数の支持体と、複数の前記支持体に着脱可能に支持された天板と、を有した天板付き什器を複数備えた天板付き什器システムであって、前記天板付き什器の不使用時に、複数の前記天板付き什器のそれぞれにおいて前記天板から取り外した複数の前記支持体を２つ以上の前記支持体からなる組にまとめて隣接配置するとともに、それぞれまとめて隣接配置した複数組の前記支持体を水平方向に集合配置した状態で保管可能とされていることを特徴とする。
【０００７】
このように、それぞれの天板付き什器を構成する複数の支持体を天板から取り外して組にまとめて隣接配置する。そして、それぞれ組にまとめて隣接配置した複数台分の天板什器を構成する複数組の支持体を水平方向に集合配置させることで、天板付き什器の保管に必要なスペースが、天板の大きさよりも小さくて済む。
【０００８】
また、この発明に係る天板付き什器システムにおいて、前記天板は、鉛直面内に位置するよう立てた状態で、前記支持体の側面に係止可能とされているようにしてもよい。
これにより、天板を保管するスペースも抑えることができる。
【０００９】
また、この発明に係る天板付き什器システムにおいて、複数台の前記天板付き什器を構成する複数組の前記支持体を互いに近接させた状態で、複数組の前記支持体上に、複数枚の前記天板を重畳させて保管可能とされているようにしてもよい。
このように互いに近接させた複数組の支持体上に複数枚の天板を重畳させることによって、天板の保管のために必要な床面積が不要となる。
【００１０】
また、この発明に係る天板付き什器システムにおいて、複数の前記支持体のうち少なくとも一つの前記支持体は、物品を収容可能な収容部を有したキャビネットユニットであり、他の前記支持体は、前記天板を支持し平面視Ｌ字状または平面視Ｔ字状に形成された支持脚であるとともに、不使用時に前記キャビネットユニットの少なくとも二つの側面に沿うよう近接配置されるようにしてもよい。
これにより、支持脚とキャビネットユニットとを、小さなスペースで保管できる。
【００１１】
また、この発明に係る天板付き什器システムにおいて、前記天板は、互いに隣接する二つの作業領域を有し、前記キャビネットユニットは、二つの前記作業領域のそれぞれの下方に設置され、前記支持体は、二つの前記作業領域の双方を跨ぐよう、前記天板の下方に配置されているようにしてもよい。
このような構成において、天板の一方の側と他方の側で互いに対向した二つの作業領域を、二人の使用者がそれぞれ利用できる。そして、天板付き什器の不使用時には、キャビネットユニットと支持体とを近接させることで、その保管スペースを小さく抑えることができる。
【００１２】
また、この発明に係る天板付き什器システムにおいて、前記天板は、互いに隣接する二つの作業領域を有し、前記支持体は、一方の前記作業領域の下方に設置され、物品を収容可能な収容部を有したキャビネットユニットと、前記キャビネットユニットから他方の前記作業領域の下方に向けて延び、前記天板を支持する支持脚部とが一体に形成され、それぞれの前記作業領域の下方で、一方の前記支持体の前記キャビネットユニットと、他方の前記支持体の前記支持脚部とが、水平方向に間隔をあけて配置されているようにしてもよい。
このような構成においても、天板の一方の側と他方の側で互いに対向した二つの作業領域を、二人の使用者がそれぞれ利用できる。そして、天板付き什器の不使用時には、支持脚部を有したキャビネットユニットどうしを近接させることで、その保管スペースを小さく抑えることができる。
【００１３】
また、この発明に係る天板付き什器システムにおいて、前記キャビネットユニットの上面に、前記キャビネットユニット上に支持される前記天板の不陸調整を行う不陸調整部が設けられているようにしてもよい。
これにより、キャビネットユニットが走行移動可能なキャスターのみを備えてキャビネットユニットの底面側で不陸調整が行えない構成の場合であっても、天板の不陸調整を行うことが可能となる。
【００１４】
また、この発明に係る天板付き什器システムにおいて、複数の前記支持体が、平面視したときに互いに同じ形状を有し、不使用時に水平方向に重畳可能であるようにしてもよい。
これにより、平面視同じ形状の複数の支持体を備える場合に、これら複数の支持体を水平方向に重畳させれば、天板付き什器の保管に必要なスペースを抑えることができる。
【発明の効果】
【００１５】
この発明に係る天板付き什器システムによれば、天板付き什器の保管スペースを抑えることが可能となる。
【図面の簡単な説明】
【００１６】
【図１】この発明の第１の実施形態に係る天板付き什器システムを構成する天板付き什器の全体構成を示す斜視図である。
【図２】上記天板付き什器を構成する支持脚ユニットを示す平面図である。
【図３】上記天板付き什器の天板を取り外した状態を示す斜視図である。
【図４】上記天板付き什器に設けられた係止ピンとピン係合孔との係合状態を示す図である。
【図５】上記天板付き什器を構成する天板の下面図である。
【図６】上記天板付き什器において、連結金具を取り外す状態を示す斜視図である。
【図７】キャビネットユニットに天板を立てて係止させる状態を示す斜視図である。
【図８】キャビネットユニットに支持脚ユニットを係止させる状態を示す斜視図である。
【図９】キャビネットユニットに支持脚ユニットおよび天板を一体化させた構成を示す斜視図である。
【図１０】第１の実施形態の変形例において、天板付き什器を構成する支持脚ユニット、キャビネットユニット、天板を示す斜視図である。
【図１１】図１０に示したキャビネットユニットに、支持脚ユニットと天板とを一体に係合させた状態を示す斜視図である。
【図１２】この発明の第２の実施形態に係る天板付き什器システムを構成する天板付き什器の全体構成を示す斜視図である。
【図１３】（ａ）は複数組のキャビネットユニットと支持脚ユニットを近接させた状態を示す斜視図、（ｂ）は、（ａ）に示した複数組のキャビネットユニットと支持脚ユニット上に天板を重畳させて搭載した状態を示す斜視図である。
【図１４】第２の実施形態の変形例を示す図であり、（ａ）は、使用状態の天板付き什器に対して、幕板を横にして設置した状態を示す斜視図、（ｂ）は、使用状態の天板付き什器に対して、幕板を縦にして設置した状態を示す斜視図である。
【図１５】この発明の第３の実施形態に係る天板付き什器システムを構成する天板付き什器の全体構成を示す斜視図である。
【図１６】図１５に示した天板付き什器システムを構成する支持脚ユニットを示す斜視図である。
【図１７】図１５に示した天板付き什器システムにおいて、複数組のキャビネットユニットと支持脚ユニットを近接させ、その上に天板を重畳させて搭載した状態を示す斜視図である。
【図１８】第３の実施形態の変形例における天板付き什器の全体構成を示す斜視図である。
【図１９】図１８に示した天板付き什器システムにおいて、複数組のキャビネットユニットと支持脚ユニットを近接させた状態を示す斜視図である。
【図２０】この発明の第４の実施形態に係る天板付き什器システムを構成する天板付き什器の全体構成を示す斜視図である。
【図２１】（ａ）は、図２０に示した天板付き什器システムを構成する支持脚体を示す斜視図、（ｂ）は、複数組の支持脚体を水平方向に重畳させた状態を示す斜視図である。
【図２２】（ａ）は、第４の実施形態の第１変形例における天板付き什器の全体構成を示す斜視図、（ｂ）は、複数組の支持脚体を水平方向に重畳させた状態を示す斜視図である。
【図２３】（ａ）は、第４の実施形態の第２変形例における天板付き什器の全体構成を示す斜視図、（ｂ）は、複数組の支持脚体を水平方向に重畳させた状態を示す斜視図である。
【発明を実施するための形態】
【００１７】
以下、添付図面を参照して、本発明による天板付き什器システムを実施するための形態を説明する。しかし、本発明はこれらの実施形態のみに限定されるものではない。
【００１８】
（第１の実施形態）
図１は、この発明の第１の実施形態に係る天板付き什器システムを構成する天板付き什器の全体構成を示す斜視図である。図２は、上記天板付き什器を構成する支持脚ユニットを示す平面図である。図３は、上記天板付き什器の天板を取り外した状態を示す斜視図である。図４は、上記天板付き什器に設けられた係止ピンとピン係合孔との係合状態を示す図である。図５は、上記天板付き什器を構成する天板の下面図である。図６は、上記天板付き什器において、連結金具を取り外す状態を示す斜視図である。図７は、キャビネットユニットに天板を立てて係止させる状態を示す斜視図である。図８は、キャビネットユニットに支持脚ユニットを係止させる状態を示す斜視図である。図９は、キャビネットユニットに支持脚ユニットおよび天板を一体化させた構成を示す斜視図である。
以下の説明において、天板付き什器に使用者が対向した状態で、使用者側を向く方向を「前方」、その反対方向を「後方」、とする。
図１に示すように、天板付き什器システムを構成する天板付き什器１０Ａは、いわゆるデスクであり、水平方向に互いに離間して床面上に設置される支持脚ユニット（支持体、支持脚）２０Ａおよびキャビネットユニット（支持体）３０Ａと、天板４０と、を備えている。天板付き什器システムは、前後方向及び前後方向と直交する水平方向に隣接配置された複数の天板付き什器１０Ａにより構成されている。
【００１９】
図１、図２に示すように、支持脚ユニット２０Ａは、床面上に自立可能で、天板４０の一方の側部に配置されている。支持脚ユニット２０Ａは、後部支持部材２１と、側部支持部材２２と、脚アーム２４と、天板支持アーム２５と、を備えている。
【００２０】
後部支持部材２１、側部支持部材２２は、それぞれ長方形のパネル状で、床面から上方に向けて延びるよう立設されている。
【００２１】
後部支持部材２１は、天板４０の後端部４０ｂにおいて、平面視したときに天板４０の幅方向に沿うよう配置されている。
【００２２】
側部支持部材２２は、天板４０の一方の側端部４０ｓにおいて、平面視したときに前後方向に延びるよう配置されている。
後部支持部材２１と側部支持部材２２とは、平面視すると略Ｌ字状をなすよう、互いに直交して配置されている。後部支持部材２１と側部支持部材２２は、後部支持部材２１の端部と側部支持部材２２の端部とを突き合わせた状態で、ジョイントプレート２３によって一体に連結されている。
【００２３】
ジョイントプレート２３は、後部支持部材２１および側部支持部材２２上に跨って載置され、複数本のボルト２６等によって、後部支持部材２１および側部支持部材２２の上面に締結固定されている。ジョイントプレート２３は、平面視略矩形に形成され、互いに隣接する二辺２３ａ，２３ｂを、後部支持部材２１および側部支持部材２２に沿わせて配置されている。ジョイントプレート２３は、平面視Ｌ字状に配置された後部支持部材２１および側部支持部材２２の連結部分に対して内方に張り出すように設けられている。
【００２４】
脚アーム２４は、側部支持部材２２の前端部２２ｆの下端部から前方に向けて延び、床面に沿うよう設けられている。
天板支持アーム２５は、側部支持部材２２の前端部２２ｆの上端部から前方に向けて延びるよう設けられている。
【００２５】
図１に示すように、支持脚ユニット２０Ａの下面の少なくとも３カ所、例えば後部支持部材２１，側部支持部材２２および脚アーム２４の下端部には、それぞれ床面に接地する接地部材２７が設けられている。接地部材２７は、後部支持部材２１，側部支持部材２２、脚アーム２４の底面にねじ込まれており、そのねじ込み量を調整することによって、支持脚ユニット２０Ａのレベル調整を行うことができる。
【００２６】
図１、図３に示すように、キャビネットユニット３０Ａは、床面上に自立可能で、直方体状をなしたキャビネット本体３１と、キャビネット本体３１の前面３１ｆに形成された不図示の開口部に対して前後方向にスライドして出没可能とされ、物品を収容可能な引き出し（収容部）３２と、を備えている。
キャビネット本体３１の底面の四隅にはそれぞれキャスター３３が設けられている。これらキャスター３３により、キャビネットユニット３０Ａは床面上に沿って移動自在とされている。
【００２７】
図３に示すように、キャビネット本体３１の上面には、上面に平面を有した高さ調整プレート（不陸調整部）３４が設けられている。高さ調整プレート３４の下側には、複数の調整ダイヤル３５が設けられている。各調整ダイヤル３５は、キャビネット本体３１に形成された雌ネジ穴（図示無し）にねじ込まれたネジ部（図示無し）と、ネジ部の上部に設けられた円盤状のダイヤル部３５ｂとを備えている。調整ダイヤル３５をネジ部（図示無し）の軸周りに回転させることによってダイヤル部３５ｂが上下方向に移動し、これによって高さ調整プレート３４は、その高さ調整および水平レベル調整が行えるようになっている。
【００２８】
図１、図３に示すように、上記支持脚ユニット２０Ａの側部支持部材２２および天板支持アーム２５の上端部、キャビネットユニット３０Ａの高さ調整プレート３４の上面、キャビネットユニット３０Ａの両側の側面３０ｓ、３０ｔには、それぞれの表面から直交する方向に突出する複数の係止ピン５０が設けられている。
図４に示すように、各係止ピン５０は、いわゆる段付きネジからなり、その一端側に形成された雄ネジ部５０ａと、他端側に形成され、雄ネジ部５０ａよりも外径が大きい頭部５０ｂと、雄ネジ部５０ａと頭部５０ｂとの間に形成され、雄ネジ部５０ａよりも外径が大きく、頭部５０ｂよりも外径が小さい段部５０ｃと、を一体に備えている。このような係止ピン５０は、雄ネジ部５０ａを支持脚ユニット２０Ａやキャビネットユニット３０Ａの各部に形成された雌ネジ穴（図示無し）に、段部５０ｃが支持脚ユニット２０Ａやキャビネットユニット３０Ａの各部の表面に突きあたるまでねじ込まれる。
【００２９】
図１、図３に示すように、天板４０は、平面視長方形状で、上記支持脚ユニット２０Ａおよびキャビネットユニット３０Ａ上に配置されている。
また、図５に示すように、天板４０の下面を形成する下部プレート４０ｐには、支持脚ユニット２０Ａの側部支持部材２２および天板支持アーム２５の上端部、キャビネットユニット３０Ａの高さ調整プレート３４の上面における各係止ピン５０に対応した位置に、ピン係合孔４１が上下に貫通して形成されている。図４に示すように、ピン係合孔４１は、一端側に、係止ピン５０の頭部５０ｂよりも内径が大きい大径部４１ａが形成されている。ピン係合孔４１は、他端側に、大径部４１ａから連続して、頭部５０ｂの外径よりも内径が小さく、かつ段部５０ｃの外径よりも内径が大きい溝部４１ｂが形成されている。ピン係合孔４１は、大径部４１ａが天板４０の前側を向き、溝部４１ｂが天板の後側を向くように形成されている。このようなピン係合孔４１に対し、係止ピン５０の頭部５０ｂを大径部４１ａに貫通させ、段部５０ｃを大径部４１ａの内方に位置させる。そして、天板４０を前方へスライドさせる。すると、係止ピン５０の段部５０ｃがピン係合孔４１の溝部４１ｂ内に挿入される。これによって天板４０が、係止ピン５０を介し、支持脚ユニット２０Ａおよびキャビネットユニット３０Ａに対し、上下方向に対して拘束される。
【００３０】
また、図１、図３に示すように、天板４０の下面とキャビネットユニット３０Ａにおいて支持脚ユニット２０Ａ側を向く側面３０ｓとが直交する部分には、天板４０とキャビネットユニット３０Ａとを連結する連結金具６０が設けられている。連結金具６０は、断面Ｌ字状で、天板４０の下面に沿う第一プレート部６０ａと、キャビネットユニット３０Ａの側面３０ｓに沿う第二プレート部６０ｂとからなる。
このような連結金具６０において、図示しないボルト等により、第一プレート部６０ａは天板４０の下部プレート４０ｐに締結固定され、第二プレート部６０ｂはキャビネットユニット３０Ａの側面３０ｓに締結固定されている。これにより、天板４０は、キャビネットユニット３０Ａに固定されている。
【００３１】
また、天板４０の下部プレート４０ｐは、支持脚ユニット２０Ａのジョイントプレート２３に形成された貫通孔２３ｈに通された図示しないボルト等により、ジョイントプレート２３に締結固定されている。これにより、天板４０は、支持脚ユニット２０Ａに固定されている。
【００３２】
さらに、図５に示すように、天板４０の下面には、上記ピン係合孔４１と同様の形状の第二ピン係合孔４３が、天板４０の幅方向に延びるよう複数形成されている。すなわち、第二ピン係合孔４３は、天板４０の幅方向の一方の側に、係止ピン５０の頭部５０ｂよりも内径が大きい大径部４３ａが形成されている。第二ピン係合孔４３は、大径部４３ａから天板４０の幅方向他方の側に向けて連続して、頭部５０ｂの外径よりも幅が小さく、かつ段部５０ｃの外径よりも幅が大きい溝部４３ｂが形成されている。
【００３３】
また、図３に示すように、支持脚ユニット２０Ａには、側部支持部材２２の上下端部、および天板支持アーム２５において、キャビネットユニット３０Ａを向く側に、ピン係合孔２８が形成されている。ピン係合孔２８は、上下方向に長く、下端部に、係止ピン５０の頭部５０ｂよりも内径が大きい大径部２８ａが形成されている。ピン係合孔２８は、大径部２８ａから上方に向けて連続して、頭部５０ｂの外径よりも幅が小さく、かつ段部５０ｃの外径よりも幅が大きい溝部２８ｂが形成されている。
【００３４】
このような天板付き什器システムを構成する天板付き什器１０Ａを使用しない場合には、連結金具６０およびジョイントプレート２３に締結された図示しないボルトを取り外すことによって、天板４０を、支持脚ユニット２０Ａおよびキャビネットユニット３０Ａとの固定から解除する。
次いで、天板４０を後方にスライドする。すると、各係止ピン５０が、各ピン係合孔４１の溝部４１ｂから大径部４１ａに相対的に移動する。この状態で天板４０を上方に移動させれば、図３に示すように、天板４０を支持脚ユニット２０Ａおよびキャビネットユニット３０Ａから取り外すことができる。
【００３５】
次に、図６に示すように、キャビネットユニット３０Ａの側面３０ｓに締結された図示しないボルトを取り外すことにより、連結金具６０をキャビネットユニット３０Ａから取り外す。
【００３６】
続いて、図７に示すように、天板４０を、下部プレート４０ｐがキャビネットユニット３０Ａの側面３０ｔに沿うように立てる。このとき、天板４０は、各第二ピン係合孔４３の大径部４３ａが下方に位置し、溝部４３ｂが上方に位置するようにセットする。そして、天板４０をキャビネットユニット３０Ａの側面３０ｔに押しつけ、側面３０ｔに設けられた各係止ピン５０（図３参照）を下部プレート４０ｐに形成された各第二ピン係合孔４３の大径部４３ａに挿入する。次いで、天板４０を下方にスライドし、係止ピン５０を第二ピン係合孔４３の溝部４３ｂに相対的に移動させる。これによって、天板４０は、係止ピン５０に係止されることによって、キャビネットユニット３０Ａの側面３０ｔに沿った状態で保持される。このとき、天板４０は、床面に接触しないよう、床面よりも上方位置に保持されるようになっている。
【００３７】
次に、図８に示すように、支持脚ユニット２０Ａの後部支持部材２１をキャビネットユニット３０Ａの後面３０ｂに沿わせ、側部支持部材２２を側面３０ｓに沿わせる。そして、キャビネットユニット３０Ａの側面３０ｓに設けられた係止ピン５０を、図３に示した支持脚ユニット２０Ａの各ピン係合孔２８の大径部２８ａに挿入させる。そして、支持脚ユニット２０Ａを下方にスライドさせ、各係止ピン５０を、各ピン係合孔２８の溝部２８ｂに相対的に移動させる。これにより、図９に示すように、支持脚ユニット２０Ａは、キャビネットユニット３０Ａの側面３０ｓおよび後面３０ｂに沿った状態で保持される。このとき、支持脚ユニット２０Ａは、各係止ピン５０によって、床面に接触しないよう、床面よりも上方位置に保持されるようになっている。また、支持脚ユニット２０Ａのジョイントプレート２３は、キャビネットユニット３０Ａの高さ調整プレート３４上に載置されている。
【００３８】
次いで、連結金具６０を、キャビネットユニット３０Ａの高さ調整プレート３４の上面と天板４０の下部プレート４０ｐとに突き当てる。そして、ボルト６１を、連結金具６０の第一プレート部６０ａ、第二プレート部６０ｂを通して、キャビネットユニット３０Ａの高さ調整プレート３４の上面と天板４０の下部プレート４０ｐとに予め形成されたネジ穴（図示無し）にねじ込む。これによって、キャビネットユニット３０Ａと天板４０とが、連結金具６０によって一体に連結される。
さらに、ボルト６２を、支持脚ユニット２０Ａのジョイントプレート２３の貫通孔２３ｈを通して、キャビネットユニット３０Ａの高さ調整プレート３４に予め形成されたネジ穴（図示無し）にねじ込む。これによって、支持脚ユニット２０Ａとキャビネットユニット３０Ａとが、一体に連結される。
【００３９】
このようにして、支持脚ユニット２０Ａおよび天板４０が、キャビネットユニット３０Ａに一体に連結された収納状態とされる。この収納状態において、天板４０を立てた状態でキャビネットユニット３０Ａの側面３０ｔに沿わせている。また、支持脚ユニット２０Ａは、後部支持部材２１をキャビネットユニット３０Ａの後面３０ｂに沿わせるとともに、側部支持部材２２を側面３０ｓに沿わせている。これにより、天板付き什器１０Ａは、収納状態における専有床面積が、図１に示したような使用状態における専有面積よりも大幅に小さくなっている。
【００４０】
上述したような天板付き什器システムによれば、それぞれの天板付き什器１０Ａは、支持脚ユニット２０Ａおよびキャビネットユニット３０Ａと、天板４０と、を備えている。そして、天板付き什器１０Ａの不使用時には、複数の天板付き什器１０Ａのそれぞれにおいて天板４０から取り外した支持脚ユニット２０Ａおよびキャビネットユニット３０Ａを、水平方向に互いに近接させた状態で保管する。これによって、天板付き什器１０Ａの保管に必要なスペースが、天板４０の大きさよりも小さくて済む。したがって、天板付き什器システムを構成する複数の天板付き什器１０Ａを保管する場合であっても、その保管スペースを小さく抑えることが可能となる。
【００４１】
また、平面視Ｌ字状の支持脚ユニット２０Ａは、不使用時にキャビネットユニット３０の二つの側面３０ｓ，３０ｔに沿うよう近接される。これにより、支持脚ユニット２０Ａとキャビネットユニット３０Ａとを、小さなスペースで保管できる。
【００４２】
また、天板４０は、鉛直面内に位置するよう立てた状態で、キャビネットユニット３０Ａの側面３０ｔに係止可能とされている。これにより、天板４０を保管するスペースも抑えることができる。
【００４３】
また、収納状態において、キャビネットユニット３０Ａに一体に連結された支持脚ユニット２０Ａおよび天板４０は、床面から浮いた状態で保持されている。これによって、収納状態の天板付き什器１０Ａは、キャビネットユニット３０Ａの底面に設けられたキャスター３３によって、容易に走行移動させることができる。したがって、天板付き什器１０Ａを使用していた位置とこれを保管する位置との間での移動作業を容易に行うことが可能となる。
【００４４】
また、キャビネットユニット３０Ａの上面に、キャビネットユニット３０Ａ上に支持される天板４０の不陸調整を行う調整プレート３４が設けられている。キャビネットユニット３０Ａは、走行移動可能なキャスター３３のみを備えており、キャビネットユニット３０Ａの底面側で不陸調整が行えない。このような場合であっても、調整プレート３４により、天板４０の不陸調整を行うことが可能となる。
【００４５】
（第１の実施形態の変形例）
なお、上記第１の実施形態において、天板付き什器１０Ａを構成する支持脚ユニット２０Ａ、キャビネットユニット３０Ａ、天板４０は、他のいかなる構成であってもよい。
図１０は、第１の実施形態の変形例において、天板付き什器を構成する支持脚ユニット、キャビネットユニット、天板を示す斜視図である。図１１は、図１０に示したキャビネットユニットに、支持脚ユニットと天板とを一体に係合させた状態を示す斜視図である。
例えば、図１０、図１１に示すように、天板付き什器１０Ｂの支持脚ユニット（支持体、支持脚）２０Ｂは、平面視Ｌ字状に形成されて水平面内に位置する上部部材７１と、上部部材７１の鉛直下方に配置されて平面視Ｌ字状に形成された下部部材７２と、鉛直方向に延在して上部部材７１と下部部材７２とを接続する複数本の支柱７３と、を一体に備えている。そして、下部部材７２の底面に複数のキャスター７４が設けられている。これにより、支持脚ユニット２０Ｂは、床面上で自立可能であるとともに床面上で走行移動可能とされている。
また、上部部材７１の上面には、上方に開口した凹部７５が形成されており、他の支持脚ユニット２０Ｂを上部部材７１上に載置したときに、上段側の支持脚ユニット２０Ｂのキャスター７４が凹部７５内に収容できるようになっている。
【００４６】
またキャビネットユニット（支持体）３０Ｂは、その上面に上方に開口した凹部８１が形成されている。凹部８１には、前後方向に間隔をあけて、キャビネットユニット３０Ｂの幅方向に延びる支持部材８２が複数本設けられている。このようなキャビネットユニット３０Ｂは、他のキャビネットユニット３０Ｂを上面に載置したときに、他のキャビネットユニット３０Ｂのキャスター３３が凹部８１内に収容できるようになっている。
【００４７】
また、キャビネットユニット３０Ｂに対し、天板４０は、図９に示したような連結金具６０を用いずに、キャビネットユニット３０Ｂの側面３０ｔに設けた係止ピン５０（図４参照）に係止させるのみでもよい。
【００４８】
（第２の実施形態）
次に、本発明にかかる天板付き什器システムの第２の実施形態について説明する。なお、以下に説明する第２の実施形態においては、上記第１の実施形態と共通する構成については図中に同符号を付してその説明を省略する。
図１２は、この発明の第２の実施形態に係る天板付き什器システムを構成する天板付き什器の全体構成を示す斜視図である。図１３（ａ）は複数組のキャビネットユニットと支持脚ユニットを近接させた状態を示す斜視図、（ｂ）は、（ａ）に示した複数組のキャビネットユニットと支持脚ユニット上に天板を重畳させて搭載した状態を示す斜視図である。
図１２に示すように、天板付き什器システムを構成する天板付き什器１０Ｃは、床面上に設置される支持脚ユニット２０Ｃおよびキャビネットユニット（支持体）３０Ｃと、天板４０と、を備えている。
【００４９】
支持脚ユニット（支持体、支持脚）２０Ｃは、平面視Ｌ字状に形成されて水平面内に位置する上部部材９１と、上部部材９１の鉛直下方に配置されて平面視Ｌ字状に形成された下部部材９２と、鉛直方向に延在して上部部材９１と下部部材９２とを接続する複数本の支柱９３と、を一体に備えている。そして、下部部材９２の底面に複数のキャスター９４が設けられている。これにより、支持脚ユニット２０Ｃは、床面上で自立可能であるとともに床面上で走行移動可能とされている。
このような支持脚ユニット２０Ｃは、天板４０の幅方向一方の側端部において、天板４０の後端部４０ｂの幅方向と、天板４０の一方の側端部４０ｓの前後方向とに沿うよう配置されている。
【００５０】
キャビネットユニット３０Ｃは、上記第１の実施形態で示したキャビネットユニット３０Ａと同様の構成を有しており、その底面には、少なくとも３つのキャスター３３が設けられている。これらキャスター３３により、キャビネットユニット３０Ｃは、床面上に沿って走行移動自在とされている。
【００５１】
天板４０は、上記第１の実施形態と同様の構成等によって、支持脚ユニット２０Ｃおよびキャビネットユニット３０Ｃ上に載置・固定されている。
【００５２】
図１３（ａ）に示すように、このような構成の天板付き什器システムの天板付き什器１０Ｃを使用しない場合には、天板４０を支持脚ユニット２０Ｃおよびキャビネットユニット３０Ｃから取り外す。
そして、支持脚ユニット２０Ｃをキャビネットユニット３０Ｃの後面３０ｂおよび側面３０ｓに沿うように寄せる。
【００５３】
複数の天板付き什器１０Ｃにおいて、上記と同様に支持脚ユニット２０Ｃをキャビネットユニット３０Ｃに沿わせて寄せ、さらに、これら複数組の支持脚ユニット２０Ｃおよびキャビネットユニット３０Ｃを、互いに近接させて集合させる。
図１３（ｂ）に示すように、そして、これら複数組の支持脚ユニット２０Ｃおよびキャビネットユニット３０Ｃ上に、複数組の天板付き什器１０Ｃを構成する複数枚の天板４０を、上下方向に重畳させて載せる。
【００５４】
上述したような天板付き什器システムによれば、支持脚ユニット２０Ｃをキャビネットユニット３０Ｃの後面３０ｂおよび側面３０ｓに沿わせることで、天板付き什器１０Ｃは、収納状態における専有床面積が、図１２に示したような使用状態における専有面積よりも大幅に小さくなる。さらに、天板付き什器システムを構成する複数の天板付き什器１０Ｃを構成する複数組の支持脚ユニット２０Ｃおよびキャビネットユニット３０Ｃをまとめて集合させることで、複数の天板付き什器１０Ｃを、少ないスペースに片付けて保管することができる。
しかも、これら複数の天板付き什器１０Ｃの天板４０は、集合させた複数組の支持脚ユニット２０Ｃおよびキャビネットユニット３０Ｃ上に重畳させて載置することで、天板４０の保管のための床面積が不要となる。これによっても複数の天板付き什器１０Ｃの保管スペースを抑えることができる。
【００５５】
（第１〜第２の実施形態の変形例）
図１４は、第２の実施形態の変形例を示す図であり、（ａ）は、使用状態の天板付き什器に対して、幕板を横にして設置した状態を示す斜視図、（ｂ）は、使用状態の天板付き什器に対して、幕板を縦にして設置した状態を示す斜視図である。
上記第１〜第２の実施形態で示した天板付き什器１０Ａ〜１０Ｃは、図１４（ａ）に示すように、天板４０の後方に幕板Ｍを設けるようにしてもよい。ここで図１４に示す例では、第２の実施形態で示した天板付き什器１０Ｃに幕板Ｍを設けている。幕板Ｍは長方形状とし、その長辺を天板４０の幅方向に沿って配置する。
そして、複数の天板付き什器１０Ｃのうちの一部を、図１３（ｂ）に示したようにして少ないスペースにまとめて片付ける一方で、図１４（ｂ）に示すように、複数の天板付き什器１０Ｃのうちの残部を幅方向に並べ、幕板Ｍを、その長辺が上下方向に沿うように配置してもよい。このとき、幕板Ｍは、使用せずに片づけた天板付き什器１０Ｃの分も、使用状態の天板付き什器１０Ｃの後方に並べて配置してもよい。
これにより、片付けずに幅方向に並べた複数の天板付き什器１０Ｃの後方を、複数枚の幕板Ｍによって目隠しのように覆うことができる。
【００５６】
（第３の実施形態）
次に、本発明にかかる天板付き什器システムの第３の実施形態について説明する。なお、以下に説明する第３の実施形態においては、上記第１、第２の実施形態と共通する構成については図中に同符号を付してその説明を省略する。
図１５は、この発明の第３の実施形態に係る天板付き什器システムを構成する天板付き什器の全体構成を示す斜視図である。図１６は、図１５に示した天板付き什器システムを構成する支持脚ユニットを示す斜視図である。図１７は、図１５に示した天板付き什器システムにおいて、複数組のキャビネットユニットと支持脚ユニットを近接させ、その上に天板を重畳させて搭載した状態を示す斜視図である。
図１５に示すように、天板付き什器システムを構成するそれぞれの天板付き什器１０Ｄは、床面上に設置される支持脚ユニット（支持体、支持脚）２０Ｄおよびキャビネットユニット（支持体）３０Ｄと、天板４０Ｄと、を備えている。
この実施形態において、天板４０Ｄは、二人の使用者が互いに対向して天板付き什器１０Ｄを使用できるよう、天板４０Ｄの前後方向に沿って互いに隣接する２つの作業領域Ｓに対応した平面積を有している。
【００５７】
図１６に示すように、支持脚ユニット２０Ｄは、平面視Ｔ字状に形成されて水平面内に位置する上部部材１０１と、上部部材１０１の鉛直下方に配置されて平面視Ｔ字状に形成された下部部材１０２と、鉛直方向に延在して上部部材１０１と下部部材１０２とを接続する複数本の支柱１０３と、を一体に備えて形成されている。そして、下部部材１０２の底面に複数のキャスター１０４が設けられている。このような支持脚ユニット２０Ｄは、一直線上に連続して配置された第一支持部１０５および第二支持部１０６と、第一支持部１０５と第二支持部１０６の接続部から第一支持部１０５および第二支持部１０６に直交する方向に延びる第三支持部１０７と、を備えている。
これにより、支持脚ユニット２０Ｄは、床面上で自立可能であるとともに床面上で走行移動可能とされている。
【００５８】
図１５に示すように、キャビネットユニット３０Ｄは、上記第１の実施形態で示したキャビネットユニット３０Ａと同様の構成を有し、その底面には、少なくとも３つのキャスター３３が設けられている。これらキャスター３３により、キャビネットユニット３０Ｄは、床面上に沿って移動自在とされている。
【００５９】
天板付き什器１０Ｄにおいて、２人分の作業領域Ｓ，Ｓに対応した平面積を有した天板４０Ｄの下方には、二つのキャビネットユニット３０Ｄが、対角状に配置されている。すなわち、天板４０Ｄの前後方向の一端側には、キャビネットユニット３０Ｄが天板４０Ｄの幅方向一方の側に配置され、天板４０Ｄの前後方向の他端側には、キャビネットユニット３０Ｄが天板４０Ｄの幅方向他方の側に配置されている。
支持脚ユニット２０Ｄは、天板４０Ｄの幅方向両側にそれぞれ配置されている。そして、各支持脚ユニット２０Ｄは、第一支持部１０５およびこれに直交する第三支持部１０７がキャビネットユニット３０Ｄの後面３０ｂおよび側面３０ｓに沿うよう配置されている。
【００６０】
このような構成により、天板付き什器１０Ｄにおいて、互いに対向するそれぞれの使用者側から見ると、天板４０Ｄに向かって右側にキャビネットユニット３０Ｄが配置され、天板４０Ｄに向かって左側には、支持脚ユニット２０Ｄの第二支持部１０６および第三支持部１０７が配置されている。
【００６１】
このような構成の天板付き什器１０Ｄを使用しない場合には、天板４０Ｄを、二組の支持脚ユニット２０Ｄおよびキャビネットユニット３０Ｄから取り外す。
そして、図１７に示すように、天板４０Ｄの幅方向一方の側に配置された支持脚ユニット２０Ｄおよびキャビネットユニット３０Ｄと、幅方向他方の側に配置された支持脚ユニット２０Ｄおよびキャビネットユニット３０Ｄとを、互いに寄せる。このとき、天板４０Ｄの幅方向一方の側に配置されていた支持脚ユニット２０Ｄの第二支持部１０６および第三支持部１０７は、幅方向他方の側に配置されていたキャビネットユニット３０Ｄの外方を向く側面３０ｔに沿わせる。このようにして、天板４０Ｄの幅方向一方の側に配置されていた支持脚ユニット２０Ｄおよびキャビネットユニット３０Ｄと、幅方方向他方の側に配置されていた支持脚ユニット２０Ｄおよびキャビネットユニット３０Ｄとを、互い違いに噛み合わせるようにして、互いに近接させて集合させる。
さらに、複数組の天板付き什器１０Ｄを構成する支持脚ユニット２０Ｄおよびキャビネットユニット３０Ｄを互いに近接させて集合させる。そして、これら複数組の支持脚ユニット２０Ｄおよびキャビネットユニット３０Ｄ上に、複数組の天板付き什器１０Ｄを構成する複数枚の天板４０Ｄを、上下方向に重畳させて載せる。
【００６２】
上述したような天板付き什器システムは、天板付き什器１０Ｄの天板４０Ｄは、互いに対向する二つの作業領域Ｓ、Ｓを有し、キャビネットユニット３０Ｄは、二つの作業領域Ｓ，Ｓのそれぞれの下方に設置され、支持脚ユニット２０Ｄは、平面視Ｔ字状とされ、二つの作業領域Ｓ，Ｓの双方を跨ぐよう、天板４０の下方に配置されている。
このような構成において、天板４０Ｄの前後方向の一方の側と他方の側で互いに対向した二つの作業領域Ｓ，Ｓを、二人の使用者がそれぞれ利用できる。そして、天板付き什器１０Ｄの不使用時には、キャビネットユニット３０Ｄと支持脚ユニット２０Ｄとを近接させることで、その保管スペースを小さく抑えることができる。さらに、複数組の支持脚ユニット２０Ｄおよびキャビネットユニット３０Ｄをまとめて集合させることで、複数の天板付き什器１０Ｄを、少ないスペースに片付けて保管することができる。
しかも、これら複数の天板付き什器１０Ｄの天板４０Ｄは、集合させた複数組の支持脚ユニット２０Ｄおよびキャビネットユニット３０Ｄ上に重ねて載置することで、これによっても複数の天板付き什器１０Ｄの保管スペースを抑えることができる。
【００６３】
（第３の実施形態の変形例）
図１８は、第３の実施形態の変形例における天板付き什器の全体構成を示す斜視図である。図１９は、図１８に示した天板付き什器システムにおいて、複数組のキャビネットユニットと支持脚ユニットを近接させた状態を示す斜視図である。
上記第３実施形態において、使用状態の天板付き什器１０Ｄにおいて、支持脚ユニット２０Ｄをキャビネットユニット３０Ｄに沿わせるようにしたが、これら支持脚ユニット２０Ｄおよびキャビネットユニット３０Ｄを一体化したような構成とすることもできる。
すなわち、図１８に示すように、キャビネットユニット（支持体）３０Ｅに、その後面３０ｂから後方に向けて延びる支持脚部２０Ｅを一体に備えるようにする。
そして、このようなキャビネットユニット３０Ｅを、天板４０Ｄの幅方向一方の側と他方の側にそれぞれ配置する。ここで、天板４０Ｄの前後方向の一端側には、キャビネットユニット３０Ｅが天板４０Ｄの幅方向一方の側に配置され、天板４０Ｄの前後方向の他端側には、キャビネットユニット３０Ｅが天板４０Ｄの幅方向他方の側に配置されている。
【００６４】
天板付き什器１０Ｅにおいて、互いに対向するそれぞれの使用者側から見ると、天板４０Ｄの天板４０Ｄに向かって右側にキャビネットユニット３０Ｅが配置され、天板４０Ｄに向かって左側には、支持脚部２０Ｅが配置されている。
【００６５】
このような構成の天板付き什器１０Ｅを使用しない場合には、天板４０Ｄを、二組のキャビネットユニット３０Ｅから取り外す。
そして、図１９に示すように、天板４０Ｄの幅方向一方の側に配置されたキャビネットユニット３０Ｅと、幅方向他方の側に配置されたキャビネットユニット３０Ｅとを、互いに近接させる。このとき、天板４０Ｄの幅方向一方の側に配置されていたキャビネットユニット３０Ｅの後面３０ｂは、幅方向他方の側に配置されていたキャビネットユニット３０Ｅの後面３０ｂに突き合わせる。また、天板４０Ｄの幅方向一方の側に配置されていた支持脚部２０Ｅは、幅方向他方の側に配置されていたキャビネットユニット３０Ｅの側面３０ｓに沿わせる。このようにして、天板４０Ｄの幅方向一方の側に配置されていたキャビネットユニット３０Ｅと、幅方方向他方の側に配置されていたキャビネットユニット３０Ｅとを、互い違いに噛み合わせるようにして、互いに近接させて集合させる。
さらに、複数組の天板付き什器１０Ｅを構成するキャビネットユニット３０Ｅを互いに近接させて集合させる。そして、これら複数組のキャビネットユニット３０Ｅ上に、複数組の天板付き什器１０Ｅを構成する複数枚の天板４０Ｄを、上下方向に重畳させて載せることができる。
【００６６】
上述したような天板付き什器システムによれば、天板付き什器１０Ｅは、天板４０Ｄの一方の側と他方の側で互いに対向した二つの作業領域Ｓ，Ｓを、二人の使用者がそれぞれ利用できる。
そして、キャビネット３０Ｅは、天板４０Ｄの一方の作業領域Ｓの下方に設置され、キャビネットユニット３０Ｅから他方の作業領域Ｓの下方に向けて延びる支持脚部２０Ｅが一体に形成されている。これにより、それぞれの作業領域Ｓの下方には、天板４０Ｄの幅方向一方の側に支持脚部２０Ｅが配置され、幅方向他方の側にキャビネットユニット３０Ｅが配置されている。そして、天板付き什器１０Ｄの不使用時には、キャビネットユニット３０Ｅ、３０Ｅどうしを互い違いに近接させることで、天板付き什器１０Ｅは、収納状態における専有床面積が、図１８に示したような使用状態における専有面積よりも大幅に小さくなる。さらに、天板付き什器システムを構成する複数組のキャビネットユニット３０Ｅをまとめて集合させることで、複数の天板付き什器１０Ｅを、少ないスペースに片付けて保管することができる。
しかも、これら複数の天板付き什器１０Ｅの天板４０Ｄは、集合させた複数組キャビネットユニット３０Ｅ上に重ねて載置することで、これによっても複数の天板付き什器１０Ｅの保管スペースを抑えることができる。
【００６７】
（第４の実施形態）
次に、本発明にかかる天板付き什器システムの第４の実施形態について説明する。なお、以下に説明する第４の実施形態においては、上記第１〜第３の実施形態と共通する構成については図中に同符号を付してその説明を省略する。
図２０は、この発明の第４の実施形態に係る天板付き什器システムを構成する天板付き什器の全体構成を示す斜視図である。図２１は、（ａ）は、図２０に示した天板付き什器システムを構成する支持脚体を示す斜視図、（ｂ）は、複数組の支持脚体を水平方向に重畳させた状態を示す斜視図である。
図２０に示すように、天板付き什器システムを構成する天板付き什器１０Ｆは、いわゆるテーブルであり、床面上に設置される一対の支持脚体（支持体）２０Ｆ，２０Ｆと、支持脚体２０Ｆ、２０Ｆ上に支持される平面視長方形状の天板４０Ｆと、を備えている。
【００６８】
それぞれの支持脚体２０Ｆは、平面視Ｌ字状で、天板４０Ｆの長辺に沿って水平方向に延びる第一支持部材１２１と、第一支持部材１２１の一端から直交して天板４０Ｆの短辺に沿って水平方向に延びる第二支持部材１２２と、第一支持部材１２１の他端、第一支持部材１２１と第二支持部材１２２との交差部および第二支持部材１２２の交差部と反対側の端部からそれぞれ鉛直下方に延びるよう設けられた複数本の支柱１２３と、を備えている。
【００６９】
図２１（ａ）に示すように、このような天板付き什器１０Ｆを使用しない場合、天板４０Ｆを支持脚体２０Ｆ、２０Ｆ上から取り外す。そして、図２１（ｂ）に示すように、一方の支持脚体２０Ｆと他方の支持脚体２０Ｆとを同じ向きに揃え、さらに水平方向に沿って重畳して並べる。さらに、複数台の天板付き什器１０Ｆの支持脚体２０Ｆ、２０Ｆを、同様にして水平方向に重畳して並べる。
【００７０】
上述したような天板付き什器システムによれば、支持脚体２０Ｆ、２０Ｆが、平面視したときに互いに同じ形状を有し、不使用時に水平方向に重畳可能である。これにより、不使用時に、これら複数の支持脚体２０Ｆ、２０Ｆを水平方向に重畳させることで、複数台分の天板付き什器１０の保管に必要なスペースを抑えることができる。
【００７１】
（第４の実施形態の第１変形例）
図２２は、（ａ）は、第４の実施形態の第１変形例における天板付き什器の全体構成を示す斜視図、（ｂ）は、複数組の支持脚体を水平方向に重畳させた状態を示す斜視図である。
例えば、図２２（ａ）に示すように、天板付き什器１０Ｇの支持脚体（支持体）２０Ｇ，２０Ｇを、平面視Ｖ字状としてもよい。
この場合、各支持脚体２０Ｇは、第一支持部材１２１と第二支持部材１２２との交差部が天板付き什器１０Ｇの中央側を向くように配置してもよい。
このような構成でも、図２２（ｂ）に示すように、一方の支持脚体２０Ｇと他方の支持脚体２０Ｇとを同じ向きに揃え、さらに水平方向に沿って重畳して並べることにより、複数の天板付き什器１０Ｆを、少ないスペースに片付けて保管することができる。
【００７２】
（第４の実施形態の第２変形例）
図２３は、（ａ）は、第４の実施形態の第２変形例における天板付き什器の全体構成を示す斜視図、（ｂ）は、複数組の支持脚体を水平方向に重畳させた状態を示す斜視図である。
例えば、図２３（ａ）に示すように、天板付き什器１０Ｈの支持脚体（支持体）２０Ｈ，２０Ｈを、平面視Ｖ字状としてもよい。そして、各支持脚体２０Ｈは、第一支持部材１２１が天板４０Ｈの短辺に沿い、第二支持部材１２２が天板４０Ｆの対角線上に延びるように配置してもよい。
このような構成でも、図２３（ｂ）に示すように、一方の支持脚体２０Ｈと他方の支持脚体２０Ｈとを同じ向きに揃え、さらに水平方向に沿って重畳して並べることにより、複数の天板付き什器１０Ｈを、少ないスペースに片付けて保管することができる。
【００７３】
（その他の実施形態）
なお、本発明の天板付き什器システムは、図面を参照して説明した上述の各実施形態およびその変形例に限定されるものではなく、その技術的範囲において様々な変形例が考えられる。
例えば、天板４０、４０Ｅ、４０Ｆと、支持脚ユニット２０Ａ〜２０Ｄ、キャビネットユニット３０Ａ〜３０Ｅ、支持脚体２０Ｆ〜２０Ｈとは、着脱可能であれば、いかなる手段で連結してもよい。
また、天板付き什器１０Ａ〜１０Ｈは、上記実施形態で示したようなデスク、テーブルに限らず、カウンター装置等、他の用途であってもよい。
これ以外にも、本発明の主旨を逸脱しない限り、上記実施の形態で挙げた構成を取捨選択したり、他の構成に適宜変更したりすることが可能である。
【符号の説明】
【００７４】
１０Ａ〜１０Ｈ    天板付き什器
２０Ａ〜２０Ｄ    支持脚ユニット（支持体、支持脚）
２０Ｅ    支持脚部
２０Ｆ〜２０Ｈ    支持脚体（支持体）
３０Ａ〜３０Ｅ    キャビネットユニット（支持体）
３２    引き出し（収容部）
３３    キャスター
３４    調整プレート（不陸調整部）
３５    調整ダイヤル
４０、４０Ｄ、４０Ｆ    天板
【図１】
2016083290.tif 000003
【図２】
2016083290.tif 000004
【図３】
2016083290.tif 000005
【図４】
2016083290.tif 000006
【図５】
2016083290.tif 000007
【図６】
2016083290.tif 000008
【図７】
2016083290.tif 000009
【図８】
2016083290.tif 000010
【図９】
2016083290.tif 000011
【図１０】
2016083290.tif 000012
【図１１】
2016083290.tif 000013
【図１２】
2016083290.tif 000014
【図１３】
2016083290.tif 000015
【図１４】
2016083290.tif 000016
【図１５】
2016083290.tif 000017
【図１６】
2016083290.tif 000018
【図１７】
2016083290.tif 000019
【図１８】
2016083290.tif 000020
【図１９】
2016083290.tif 000021
【図２０】
2016083290.tif 000022
【図２１】
2016083290.tif 000023
【図２２】
2016083290.tif 000024
【図２３】
2016083290.tif 000025